(57)【要約】加速度計を用いて検出される動きなど、モバイル装置の動きが可聴音の操作エフェクトのトリガーとして使用されうる。ある実施形態によれば、ロジック部が可聴音を出力するように構成されている。第２のロジック部は、モバイル装置の動きを識別するように構成されており、第３のロジック部は、識別された動きに基づいて可聴音の出力を操作するように構成されている。
2010520656.tif 000002
【特許請求の範囲】
【請求項１】
モバイル装置であって、
可聴音を出力するように構成された第１のロジック部と、
前記モバイル装置の動きを識別するように構成された第２のロジック部と、
前記識別された動きに基づいて前記出力される可聴音を操作するように構成された第３のロジック部と
を備えることを特徴とするモバイル装置。
【請求項２】
前記第１のロジック部は、実行したコマンドに応答して可聴音を出力するように構成されていることを特徴とする請求項１に記載のモバイル装置。
【請求項３】
前記モバイル装置には、移動通信装置が含まれることを特徴とする請求項２に記載のモバイル装置。
【請求項４】
前記コマンドには、着呼を受信したことに応答して生成されるリングトーンの再生コマンドが含まれることを特徴とする請求項３に記載のモバイル装置。
【請求項５】
前記コマンドには、メッセージを受信したことに応答して生成されるメッセージ警告再生コマンドが含まれることを特徴とする請求項３に記載のモバイル装置。
【請求項６】
前記モバイル装置には、ポータブルメディアプレイヤーが含まれることを特徴とする請求項２に記載のモバイル装置。
【請求項７】
前記コマンドには、前記ポータブルメディアプレイヤーから受信したメディア再生コマンドが含まれることを特徴とする請求項６に記載のモバイル装置。
【請求項８】
前記第２のロジック部は、動き検出部品を備えていることを特徴とする請求項１に記載のモバイル装置。
【請求項９】
前記動き検出部品は、加速度計を備えていることを特徴とする請求項８に記載のモバイル装置。
【請求項１０】
前記第２のロジック部は、前記動き検出部品により検出された前記モバイル装置の動きと、予め記憶されている動きとが整合するかどうかを判定するように構成されたロジック部を備え、前記予め記憶されている動きは、予め定められた操作エフェクトと関連付けられていることを特徴とする請求項１に記載のモバイル装置。
【請求項１１】
前記第３のロジック部は、前記予め定められた操作エフェクトに基づいて前記可聴音を操作するように構成されたロジック部を備えていることを特徴とする請求項１０に記載のモバイル装置。
【請求項１２】
前記予め定められた操作エフェクトには、前記可聴音の変更が含まれていることを特徴とする請求項１に記載のモバイル装置。
【請求項１３】
前記予め定められた操作エフェクトには、前記可聴音には関連していないサウンドエフェクトが含まれていることを特徴とする請求項１に記載のモバイル装置。
【請求項１４】
前記予め定められた操作エフェクトには、前記可聴音の特性を調整するためのサウンドコマンドが含まれていることを特徴とする請求項１に記載のモバイル装置。
【請求項１５】
移動端末において実行される方法であって、
可聴音を出力するためのコマンドを実行する実行ステップと、
前記移動端末の動きを監視する監視ステップと、
前記動きに基づいて前記可聴音の出力を操作する操作ステップと
を有することを特徴とする方法。
【請求項１６】
前記監視ステップは、
動き検出部品からの出力を解析するステップと、
前記動き検出部品からの出力と、予め記憶されている可聴音出力操作エフェクトに関連付けられている動きとが整合するかどうかを判定するステップと
を有することを特徴とする請求項１５に記載の方法。
【請求項１７】
前記操作ステップは、
前記予め記憶されている可聴音出力操作エフェクトに基づいて前記可聴音を操作することを特徴とする請求項１６に記載の方法。
【請求項１８】
前記動き検出部品には、加速度計が含まれることを特徴とする請求項１６に記載の方法。
【請求項１９】
ポータブルメディア装置であって、
可聴音を出力する出力手段と、
前記ポータブルメディア装置の動きを識別する識別手段と、
前記識別された動きに基づいて前記可聴音の出力を調整する調整手段と
備えることを特徴とするポータブルメディア装置。
【請求項２０】
前記ポータブルメディア装置の動きを表す信号を生成する生成手段と、
前記生成された信号と、可聴音調整コマンドに関連付けられている予め定められた信号とが整合するかどうかを判定する判定手段と、
前記可聴音調整コマンドに基づいて前記可聴音の出力を調整する手段と
をさらに備えることを特徴とする請求項２０に記載のポータブルメディア装置。
【請求項２１】
前記生成手段は、加速度計を備えていることを特徴とする請求項１９に記載のポータブルメディア装置。
【発明の詳細な説明】
【技術分野】
【０００１】
一般に移動通信装置の動作方法に関し、とりわけ移動通信装置から出力されるオーディオ（可聴音）出力の制御に関する。
【背景技術】
【０００２】
セルラー電話機やパーソナルメディアプレイヤーなどの移動通信装置やその他の電子機器はますます多様性を増している。典型的には、移動通信装置は、当該移動通信装置上で実行されるコマンドやアクションに応答してサウンド（音）やオーディオ（可聴音）を出力するための、スピーカーやヘッドフォンジャックなど、オーディオ出力機構を備えている。
【発明の概要】
【課題を解決するための手段】
【０００３】
１つ目の観点によれば、モバイルデバイス（モバイル装置）は、オーディオ（可聴音）を出力するように構成された第１のロジック部を備える。またモバイル装置は、モバイル装置の動きを識別するように構成された第２のロジック部と、識別された動きに基づいて、出力されるべき可聴音をマニピュレート（操作）するように構成された第３のロジック部を備える。
【０００４】
また、第１のロジック部は、実行されたコマンドに応答して可聴音を出力するように構成されていてもよい。
【０００５】
さらに、モバイル装置は、移動体通信装置を含んでいてもよい。
【０００６】
さらに、実行されるコマンドには、受信したメッセージに応答して生成されたメッセージ警告再生コマンドが含まれていもよい。
【０００７】
さらに、モバイル装置は、ポータブルメディアプレイヤーを含んでいてもよい。
【０００８】
さらに、実行されるコマンドには、ポータブルメディアプレイヤーによって受信されたメディア再生コマンドが含まれていもよい。
【０００９】
さらに、第２のロジック部は、モーション（動き）検出部品を備えていてもよい。
【００１０】
さらに、動き検出部品には、加速度計が含まれていてもよい。
【００１１】
さらに、第２のロジック部は、モバイル装置の動きと予め記憶されている動きとが整合するか否かを判定するように構成されたロジック部を備えていてもよい。記憶されている動きは、予め定められた操作エフェクトと関係付けられていてもよい。
【００１２】
さらに、第３のロジック部は、予め定められた操作エフェクトに基づいて出力されるべき可聴音を操作するように構成されたロジック部を含んでもよい。
【００１３】
さらに、予め定められた操作エフェクトには、出力すべき可聴音の変更が含まれてもよい。
【００１４】
さらに、予め定められた操作エフェクトには、出力すべき可聴音とは関連付けられていないサウンドエフェクト（音響効果）が含まれてもよい。
【００１５】
さらに、予め定められた操作エフェクトには、出力すべき可聴音の特性を調整するためのサウンドコマンドが含まれてもよい。
【００１６】
他の観点によれば、移動端末に実装される方法が提供される。本方法は、可聴音を出力するためのコマンドを実行するステップと、移動端末の動きを監視するステップと、動きに基づいて出力すべき可聴音を操作するステップとを有する。
【００１７】
また、移動端末の動きを監視するステップは、動き検出部品の出力を解析するステップと、動き検出部品の出力が、予め記憶された可聴音出力操作エフェクトと関連付けられた動きと整合するかどうかを判定するステップとを含んでもよい。
【００１８】
さらに、動きに基づいて出力すべき可聴音を操作するステップは、予め記憶された可聴音出力操作エフェクトに基づいて出力すべき音声を操作するステップを含んでもよい。
【００１９】
動き検出部品は、加速度計を含んでいてもよい。
【００２０】
さらに他の観点によれば、ポータブルメディア装置が提供される。ポータブルメディア装置は、可聴音を出力する手段と、ポータブルメディア装置の動きを識別する手段と、識別された動きに基づいて、出力されるべき可聴音を調整する手段とを備える。
【００２１】
さらに、ポータブルメディア装置は、当該ポータブルメディア装置の動きを表現する信号を生成する手段と、当該信号と、可聴音調整コマンドに関連付けられた予め記憶された信号と整合するかどうかを判定する手段と、可聴音調整コマンドに基づいて出力すべき可聴音を調整する手段とを備えていてもよい。
【００２２】
さらに、ポータブルメディア装置の動きを表現する信号を生成する手段は、加速度計を含んでいてもよい。
【００２３】
本発明の他の特徴や有利な効果は、以下の詳細な説明を読むことで当業者にはさらに明確になろう。本発明を実施するための最良の実施形態についての事例は、以下で図解される実施形態によって開示される。本発明は、本発明の技術思想を逸脱することなく、種々の変更を加えることが可能である。また、図面は図解目的で提供されるにすぎず、発明を限定するために提供されるわけではない。
【図面の簡単な説明】
【００２４】
添付の図面を参照して説明するが、同一の参照番号が付与される構成要素は同様の構成要素を示している。
【図１】例示的な電子装置を示す図である。
【図２】図１に示した移動端末の追加の詳細を示した図である。
【図３】感知された移動端末の動きに基づいた可聴音出力操作コマンドを受信したときの図２示した移動端末の動作を示した図である。
【図４】関連した可聴音操作エフェクトの実行をもたらす移動端末の例示的な動きを示した図である。
【図５】関連した可聴音操作エフェクトの実行をもたらす移動端末の例示的な動きを示した図である。
【図６】関連した可聴音操作エフェクトの実行をもたらす移動端末の例示的な動きを示した図である。
【発明を実施するための形態】
【００２５】
添付の図面を参照しながら以下で本発明を詳細に説明する。異なる図面においても同一の参照番号を付与することがあるが、これは同一または類似の構成要素を区別するためである。また、以下に記載する詳細な説明は本発明を限定するものではない。すなわち、本願発明の範囲は添付の特許請求の範囲とその均等物によって確定される。
【００２６】
例示的な電子装置
図１は、本発明にしたがって構築された装置の例示的な実装の例について示している。本装置は、いずれかのタイプのポータブル電子装置である。本装置は、とりわけ、移動端末１１０として説明することにするが、移動端末１１０は、無線電話機やパーソナル通信システム（ＰＣＳ）の端末などであり、セルラー無線電話機にデータ処理機能、ファクシミリ機能およびデータ通信機の少なくとも１つが組み合わされた電子装置であってもよい。ここで説明する様々な観点の技術思想は、ポータブルメディアプレイヤー、携帯情報端末（ＰＤＡ）、スマートフォン、その他など、様々な電子装置において実装可能である。
【００２７】
移動端末１１０は、筐体１６０、キーパッド１１５、コントロールキー１２０、スピーカー１３０、表示装置１４０、マイクロフォン１５０を備えている。筐体１６０は、移動端末１１０内で内部デバイスや部品を支持するように構成された構造部材を備えていてもよい。例えば、筐体１６０は、プラスチック、金属、または、これらの複合素材により構成されていてもよいし、キーパッド１１５、コントロールキー１２０、スピーカー１３０、表示装置１４０およびマイクロフォン１５０を支持するように構成されていてもよい。
【００２８】
キーパッド１１５は、直接的に、または、移動端末１１０に情報を入力するためのスタイラスなどの他のデバイスを介して、ユーザによる入力を受け付けるように構成されていてもよい。１つの実施形態によれば、移動端末１１０の通信機能は、キーパッド１１５に配置されている幾つかのキーを操作することによって、制御されてもよい。キーは、各キーに関連付けられたキー情報、例えば、番号、文字、シンボルその他を有していてもよい。ユーザはキーパッド１１５のキーを操作し、発呼したり、数字やコマンドおよびテキストメッセージを移動端末１１０に入力することができてもよい。キーに指定されて機能は表示装置１４０に表示されうる画像を形成したり、当該画像を操作したりすることができてもよい。
【００２９】
コントロールキー１２０は、ボタンを備え、これによりユーザに通信装置１１０と相互動作を可能ならしめ、表示装置１４０やその他との相互動作など、通信装置１１０に特定のアクションを実行させてもよい。
【００３０】
スピーカー１４０は、移動端末１１０のユーザに対して課長情報を提供するデバイスを備えていてもよい。スピーカー１３０は、移動端末１１０のいずれかの場所に設けられており、例えば、ユーザが移動端末１００を介して津真するときにイヤーピース（受話器）として機能してもよい。スピーカー１３０は、移動端末１１０内部の様々な位置に設けられた種々のスピーカー部品を備えていてもよい。スピーカー１３０は、デジタル信号をアナログ信号に変換するためのデジタルアナログ変換器を備えていてもよい。スピーカー１３０は、また、移動端末１１０によって着信呼を受信したことを示すリンギング信号（呼び出し音）を出力する出力装置として機能してもよい。以下でさらに説明するように、移動端末１１０を操作することによって、スピーカー１３０からの可聴音出力が操作されてもよい。
【００３１】
表示装置１４０は、ユーザに可視画像を提供するための装置を備えている。例えば、表示装置１４０は、着信呼や発信呼や、テキストメッセージ、ゲーム、電話帳、現在の日付／時刻、音量設定、その他に関するグラフィック表示を移動端末１１０のユーザに提供する。表示装置１４０の実装形体としては、白黒タイプのフラットパネル表示装置やカラータイプのフラットパネル表示装置などがある。
【００３２】
マイクロフォン１５０は、音声や他の音響信号を移動端末１１０で使用するための電気信号へと変換する装置を備えていてもよい。マイクロフォン１５０は、入力されたアナログ信号をデジタル信号へ変換するためのアナログデジタル変換器を備えていてもよい。マイクロフォン１５０は、移動端末１１０のどの部分に設けられていてもよく、例えば、ユーザが話した単語やフレーズを移動端末１１０によって使用するための電気信号に変換するように構成されていてもよい。
【００３３】
図２は、移動端末１１０のその他の構成要素の詳細な例を示した図である。移動端末１１０は、無線周波数（ＲＦ）アンテナ２１０、トランシーバ（通信回路部）２２０、変調器／復調器２３０、符号化部／復号化部、処理ロジック部２５０、メモリ２６０、入力デバイス２７０、出力デバイス２８０、動き検出部品２８５などを備えている。これらの構成要素は、１つ以上のバス（図示略）を介して相互に接続されていてもよい。さらに、移動端末１１０は、１つ以上の電源部（図示略）を備えていてもよい。当業者であれば、移動端末１１０が他の構成を採用していてもよいし、その他の異なる構成要素を備えていてもよいことを理解できよう。
【００３４】
ＲＦアンテナ２１０は、ＲＦ信号を送信したり受信したりするための１つ以上のアンテナを備えていてもよい。１つの実装の例によれば、ＲＦアンテナ２１０は、１つ以上の指向性アンテナや無指向性アンテナ、あるいはこれらの組み合わせを備えていてもよい。通信回路部２２０は、ＲＦアンテナ２１０を介して情報を送信または受信するための構成要素を備えている。他の実装の例によれば、通信回路部２２０は、送信機部品と受信機部品とが単一の構成要素として形成されるのではなく、その代わりに分離されて配置されていてもよい。
【００３５】
変調器／復調器２３０は、データ信号を搬送波信号と合成したり、搬送し信号からデータ信号を抽出したりする。処理ロジック部２５０は、プロセッサ、マイクロプロセッサ、特定用途集積回路（ＡＳＩＣ）フィールドプログラマブルゲートアレイ（ＦＰＧＡ）などを備えていてもよい。処理ロジック部２５０は、移動端末１１０の動作を制御するためのソフトウエアプログラムやデータ構造を実行することができる。メモリ２６０は、ランダムアクセスメモリ（ＲＡＭ）や、処理ロジック部２５０によって実行されるインストラクションや情報を記憶するその他の種類の動的記憶装置を備えていてもよい。また、リードオンリーメモリ（ＲＯＭ）や、処理ロジック部２５０によって使用される静的な情報やインストラクションなどを記憶するいずれかの種類の静的な記憶装置を備えていてもよい。さらに、何らかの種類の磁気記憶媒体または光記憶媒体とその対応するディスクなどを備えていてもよい。処理ロジック部２５０によって使用されるインストラクションは、これらとともにまたはこれらに代えて、処理ロジック部２５０によってアクセス可能ないずれかの種類のコンピュータ可読記憶媒体に記憶されていてもよい。コンピュータ可読記憶媒体は、１つ以上のメモリデバイスであってもよい。
【００３６】
入力デバイス２７０は、マイクロフォン１５０やキーパッド１１５など、操作者が移動端末１１０へ情報を入力するためのいずれかの機構を備えていてもよい。出力デバイス２８０は、表示装置１４０やスピーカー１３０など、操作者に情報を出力するためのいずれかの機構を備えていてもよい。出力デバイス２８０は、移動端末１１０を振動させるためのバイブレータ機構を備えていてもよい。
【００３７】
動き検出部品２８５は、入力デバイス２７０への追加の入力機構を提供してもよい。動き検出部品２８５は、一般に、移動端末１１０の動きに基づいて移動端末１１０へのユーザ入力を検出するために使用される。１つの実装の例によれば、動き検出部品２８５は、１つ以上の方向（例えば、１方向軸、２方向軸、または３方向軸など）における移動端末１１０の動きを検出するための１つ以上の加速度計を備えていてもよい。これらの加速度計は信号を入力デバイス２７０へ出力してもよい。あるいは、（加速度計に関連して）代替的に、動き検出部品２８５は、移動端末１１０の位置を検出して識別するための１つ以上のジャイロスコープを備えていてもよい。加速度計やジャイロスコープなどの動き検出部品２８５は当業界において一般に知られているため、これらに関するその他の詳細は省略することにする。
【００３８】
移動端末１１０は、例えば、移動端末１１０における中核となる機能の動作や、サードパーティーによって提供されたソフトウエアアプリケーションなど、移動端末１１０に関連付けられたその他アプリケーションの動作などを関連した処理を実行しうる。移動端末１１０は、メモリ２６０など、コンピュータ可読記憶媒体に記憶されたインストラクションのシーケンスを実行する処理ロジック部２５０に応答してこれらの動作を実行してもよい。コンピュータ可読記憶媒体は１つ以上のメモリデバイスや搬送波によって構成されてもよい。メモリ２６０に記憶された複数のインストラクションのシーケンスを実行することで、処理ロジック部２５０は、以下で説明するような動作を実行する。他の実施形態によれば、本発明にしたがった処理を実行するために、ソフトウエアインストラクションに代えて、あるいはこれとともにハードワイヤーによる回路が使用されてもよい。よって、本発明にしたがった実装の例は、ハードウエア回路とソフトウエアとの特定の組み合わせにのみ限定されることはない。
【００３９】
例示的な処理
図３は、感知された移動端末１１０の動きに基づいた可聴音出力操作コマンドを受信したときに実行される移動端末１１０の例示的な動作を示したフローチャートである。本処理は移動端末１１０が可聴音出力操作機能をイネーブル（有効）にするためのコマンドを受信するステップから開始される（ブロック３００）。
【００４０】
移動端末１１０は、スピーカー１３０を通じて可聴音をその結果として出力することになるアクションを実行しうる（ブロック３１０）。例えば、移動端末１１０は、通信回路部２２０を通じて電話呼やメッセージを受信し、その結果、スピーカー１３０を通じて可聴のリングトーン（呼出音）や警告を出力してもよい。あるいは、移動端末１１０は、メモリ２６０に記憶されているオーディオファイルを再生ないしは出力するためのユーザからのリクエストを受け付けてもよい。
【００４１】
スピーカー１３０を通じた可聴音の出力と並行して、動き検出部品２８５は、移動端末１１０の動きを表した１つ以上の出力信号を生成してもよい（ブロック３２０）。動き検出部品が出力する信号は、解析され、解析結果にしたがって、検出された移動端末１１０の動きと、予め記憶されている可聴音出力操作エフェクトに関連付けられた動きとが整合するかどうかを判定されてもよい。（ブロック３３０）。もし、整合すると判定されたのであれば、移動端末１１０は、識別された操作エフェクトに準拠した手法にしたがってスピーカー１３０の出力を操作しうる（ブロック３４０）。操作エフェクトには、実行したアクションに起因した可聴音の出力の適切ないずれかの変更や置換が含まれうる。また、例示的な操作エフェクトとしては、追加的なサウンドエフェクトの出力や、実行したアクションに起因した可聴音とは関連していないサウンドコマンドの出力が含まれてもよい。例えば、ガラスを割る音や、爆発効果、その他などである。例示的なサウンドコマンドとしては、温調調節やトラックの再生の一時停止コマンドやトラックのスキップコマンドなどがありうる。
【００４２】
１つの実施形態によれば、移動端末が円運動を行うように移動したかどうかが判定されてもよい（例えば、図４を参照のこと）。可聴音操作エフェクトが予め円運動と関連付けられている場合、スピーカー１３０を介した可聴音の出力は、予め記憶されている可聴音操作エフェクトに準拠した手法にしたがって操作されてもよい。例えば、図４に示した動きのように移動している移動端末１１０は可聴音の出力に対して位相変調を適用してもよい。
【００４３】
他の実施形態によれば、例えば図５に示すように、移動端末が急速に前後に移動しているかどうかが判定されてもよい。このような動きが検出されると、レコードアルバムに設けられたレコード溝にそってレコード針があたかも急速に動かされているかのように、スクラッチや歪みを可聴音の出力に付与してもよい。
【００４４】
さらに他の実施形態によれば、図６に示したように、移動端末が横方向にスイングするように移動させられているかどうかが判定されてもよい。この実施形態によれば、可聴音の出力中にこの動きが認識されると、映画のスターウォーズシリーズで使用されているライトセイバーのサウンド効果と同様の手法でもって可聴音の出力が操作されてもよい。
【００４５】
加速度計から出力される加速信号を解析する技術や、加速信号と予め定められた「目標」信号とを整合する技術は当業界において知られており、ここではこれ以上は説明しないこととする。
【００４６】
いくつかの実装の例によれば、移動端末１１０によって認識される複数の動きによるセットやこれらの動きに関連付けられた操作エフェクトはユーザによってカスタマイズされてもよい。すなわち、ユーザは、任意の動きのうち特定の動きを特定の可聴音出力操作エフェクトと関連付けることができる。例えば、ユーザは、移動端末をすばやく左に動かす動作と、可聴音の出力を消音するためのコマンドとを関連付けてもよい。ユーザは、１回または複数回にわたり、その動きを「デモンストレーション」（実行）することによって、関連付け処理を開始してもよい。ユーザは、新規に教え込ませたい動きと可聴音出力操作エフェクトとを移動端末１１０により関連付けさせる。
【００４７】
まとめ
上述したように、移動端末の動きは、この動きと関連付けられた操作エフェクトに基づいて、出力される可聴音の操作をトリガーするために使用されうる。
【００４８】
本発の実施形態についての上述した説明は、図解や解説を提供するにすぎず、本発明を開示されたものに正確に包含ないしは限定するために提供しているのではない。上述した説明に基づいて変更や変形例を形成することは可能であり、本発明を実施することで変更や変形例が得られてもよい。
【００４９】
また、図３によれば、一連の工程が示されているが、本発明にしたがった他の実装の例では、一連の工程の実行順番は変更されてもよい。さらに、依存関係のない複数の工程は並行して実行されてもよい。
【００５０】
当業者であれば、上述したように、本発明の複数の観点がセルラー通信装置、セルラー通信システム、方法、コンピュータプログラムとして実装可能であることを理解できよう。また、本発明は、ハードウエア、ソフトウエア（例えば、ファームウエア、常駐ソフトウエア、マイクロコードその他）、または、これらを組み合わせることで実現できる。さらに、本発明は、コンピュータ使用可能記憶媒体またはコンピュータ可読記憶媒体によるコンピュータプログラム製品の形式を採用してもよい。当該媒体には、コンピュータが使用可能なプログラムコードやコンピュータが読取り可能なプログラムコードが記憶されており、インストラクション実行システムと関連してもしくは当該システムによって使用される。本発明の原理に準拠した観点を実装するために使用される実際のソフトウエアコードや特定の制御ハードウエアは本発明の範囲を限定するものではない。よって、これらの観点の動作や振る舞いは特定のソフトウエアコードを参照することなく説明した。当業者であればここで説明した内容に基づいてソフトウエアや制御ハードウエアを設計することができるであろう。
【００５１】
さらに、本発明を構成するいくつかの部分は、１つ以上の機能を実行する「ロジック」として実装可能である。このロジックは、プロセッサ、マイクロプロセッサ、特定用途集積回路またはフィールドプログラマブルゲートアレイなどのハードウエアと、ソフトウエアと、または、ハードウエアおよびソフトウエアの組み合わせとのいずれかが含まれる。
【００５２】
用語「備える／備えている」は、本明細書において、説明した機能、数、工程または部品が存在することを特定するために使用されており、他の機能、数、工程、部品またはこれらのグループの存在を除外することを意図してはない。
【００５３】
本発明の説明において使用した構成要素、動作またはインストラクションは、本発明にとって重要とか必須であると強調されている場合を除き、これらは本発明にとって重要でも必須でもない。また、冠詞の「ａ」は、１つ以上の事項を含めるために使用されている。なお、単一の事項を意図しているときは、用語「単一の」またはそれに類する用語を使用している。さらに、「基づく」というフレーズは、他の定義が明確になされている場合を除き、基本的に「部分的に基づいている」ことを意図している。
【００５４】
本発明の範囲は添付の特許請求の範囲とその均等物によって確定される。
【図１】
2010520656.tif 000003
【図２】
2010520656.tif 000004
【図３】
2010520656.tif 000005
【図４】
2010520656.tif 000006
【図５】
2010520656.tif 000007
【図６】
2010520656.tif 000008
【手続補正書】
【提出日】平成20年12月24日(2008.12.24)
【手続補正１】
【補正対象書類名】特許請求の範囲
【補正対象項目名】全文
【補正方法】変更
【補正の内容】
【特許請求の範囲】
【請求項１】
モバイル装置であって、
第１の可聴音出力を生成するように構成された第１のロジック部と、
前記モバイル装置の動きを識別し、前記識別された動きと、予め定められた操作エフェクトに関連付けられている少なくとも１つの予め記憶されている動きとを比較するように構成された第２のロジック部と、
前記第１の可聴音出力とは関連していない第２の可聴音出力であって、前記少なくとも１つの予め記憶されている動きと関連付けられている該第２の可聴音出力を生成し、前記予め定められた操作エフェクトに基づいて該第２の可聴音出力を操作するように構成された第３のロジック部と
を備えることを特徴とするモバイル装置。
【請求項２】
前記第１のロジック部は、実行したコマンドに応答して前記第１の可聴音出力を生成するように構成されていることを特徴とする請求項１に記載のモバイル装置。
【請求項３】
前記モバイル装置には、移動通信装置が含まれることを特徴とする請求項２に記載のモバイル装置。
【請求項４】
前記コマンドには、着呼を受信したことに応答して生成されるリングトーンの再生コマンドが含まれることを特徴とする請求項３に記載のモバイル装置。
【請求項５】
前記コマンドには、メッセージを受信したことに応答して生成されるメッセージ警告再生コマンドが含まれることを特徴とする請求項３に記載のモバイル装置。
【請求項６】
前記モバイル装置には、ポータブルメディアプレイヤーが含まれることを特徴とする請求項２に記載のモバイル装置。
【請求項７】
前記コマンドには、前記ポータブルメディアプレイヤーから受信したメディア再生コマンドが含まれることを特徴とする請求項６に記載のモバイル装置。
【請求項８】
前記第２のロジック部は、動き検出部品を備えていることを特徴とする請求項１に記載のモバイル装置。
【請求項９】
前記動き検出部品は、加速度計を備えていることを特徴とする請求項８に記載のモバイル装置。
【請求項１０】
前記予め定められた操作エフェクトには、前記可聴音の特性を調整するためのサウンドコマンドが含まれていることを特徴とする請求項１に記載のモバイル装置。
【請求項１１】
移動端末において実行される方法であって、
第１の可聴音出力を生成する生成ステップと、
前記移動端末の動きを識別する識別ステップと、
前記識別された動きと、予め定められた操作エフェクトに関連付けられている少なくとも１つの予め記憶されている動きとを比較する比較ステップと、
前記第１の可聴音出力とは関連していない第２の可聴音出力であって、前記少なくとも１つの予め記憶されている動きと関連付けられている該第２の可聴音出力を生成し、前記予め定められた操作エフェクトに基づいて該第２の可聴音出力を操作する操作ステップと
を有することを特徴とする方法。
【請求項１２】
前記識別ステップは、
動き検出部品からの出力を解析するステップを有することを特徴とする請求項１１に記載の方法。
【請求項１３】
前記動き検出部品には、加速度計が含まれることを特徴とする請求項１１に記載の方法。
【手続補正書】
【提出日】平成21年10月27日(2009.10.27)
【手続補正１】
【補正対象書類名】特許請求の範囲
【補正対象項目名】全文
【補正方法】変更
【補正の内容】
【特許請求の範囲】
【請求項１】
モバイル装置であって、
前記モバイル装置の動きを識別し、前記識別された動きと、それぞれ複数の予め定められた操作エフェクトのうちの１つ以上に関連付けられている複数の予め記憶されている動きのデータとを比較するように構成された第１のデバイス実装ロジック部と、
前記複数の予め定められた操作エフェクトのうち第２の操作エフェクトによって操作される第１の可聴音出力を生成するように構成された第２のデバイス実装ロジック部と、
前記第１の可聴音出力とは関連していない第２の可聴音出力であって、前記複数の予め記憶されている動きのデータと関連付けられている該第２の可聴音出力を生成し、前記複数の予め定められた操作エフェクトのうち第２の操作エフェクトに基づいて該第２の可聴音出力を操作するように構成された第３のロジック部と
を備え、
前記第１の操作エフェクトと前記第２の操作エフェクトとが異なっていることを特徴とするモバイル装置。
【請求項２】
前記第２のデバイス実装ロジック部は、実行したコマンドに応答して前記第１の可聴音出力を生成するように構成されていることを特徴とする請求項１に記載のモバイル装置。
【請求項３】
前記コマンドには、着呼を受信したことに応答して生成されるリングトーンの再生コマンドが含まれることを特徴とする請求項２に記載のモバイル装置。
【請求項４】
前記コマンドには、メッセージを受信したことに応答して生成されるメッセージ警告再生コマンドが含まれることを特徴とする請求項２に記載のモバイル装置。
【請求項５】
前記コマンドには、ポータブルメディアプレイヤーから受信したメディア再生コマンドが含まれることを特徴とする請求項２に記載のモバイル装置。
【請求項６】
前記第１のデバイス実装ロジック部は、動き検出部品を備えていることを特徴とする請求項１に記載のモバイル装置。
【請求項７】
前記動き検出部品は、加速度計を備えていることを特徴とする請求項６に記載のモバイル装置。
【請求項８】
前記予め定められた操作エフェクトには、前記可聴音の特性を調整するためのサウンドコマンドが含まれていることを特徴とする請求項１に記載のモバイル装置。
【請求項９】
移動端末において実行される方法であって、
前記移動端末の動きを識別する識別ステップと、
前記識別された動きと、それぞれ複数のの予め定められた操作エフェクトのうちの１つ以上に関連付けられている複数の予め記憶されている動きのデータとを比較する比較ステップと、
前記複数の予め定められた操作エフェクトのうち第２の操作エフェクトによって操作される第１の可聴音出力を生成する生成ステップと、
前記第１の可聴音出力とは関連していない第２の可聴音出力であって、前記複数の予め記憶されている動きのデータと関連付けられている該第２の可聴音出力を生成し、前記複数の予め定められた操作エフェクトのうち第２の操作エフェクトに基づいて該第２の可聴音出力を操作する操作ステップと
を有し、
前記第１の操作エフェクトと前記第２の操作エフェクトとが異なっていることを特徴とする方法。
【請求項１０】
前記識別ステップは、
動き検出部品からの出力を解析するステップを有することを特徴とする請求項９に記載の方法。
【国際調査報告】
2010520656.tif 000009
2010520656.tif 000010
2010520656.tif 000011